(57)【特許請求の範囲】
【請求項１】
少なくとも側パネル、前パネル、側パネル、後パネルからなるブランクを折り曲げて形成してなる偏平状のカートンであって、
前記側パネル、前記前パネル、前記側パネル、前記後パネルの略中央部を貫通する線上に、前記前パネルには該前パネルを前パネル上部分と前パネル下部分とに分ける切り取り部を、前記後パネルには、該後パネルを後パネル上部分と後パネル下部分とを折り曲げる折れ線を、前記側パネルには切れ線を設け、前記前パネル上部分と両側の前記側パネルとの間には切れ線を設け、前記前パネル上部分の前記前パネル下部分側の辺に差し込み片を設け、前記後パネルの下辺に前記差し込み片を差し込む差し込み口を設け、
組み立て時に、前記切り取り部、前記切れ線を切り取ることにより前記カートンを前記折れ線で折り曲げて前記前パネル上部分と前記前パネル下部分とに分割し、前記後パネルを前記折れ線で外側に折り曲げ、前記前パネルの前記前パネル上部分および天パネルを折れ線で外側に折り曲げ、前記前パネル上部分に設けた前記差し込み片を前記後パネルの下辺に設けた前記差し込み口に差し込むことにより衝立て機能を有する形状に形成されることを特徴とする自立性カートン。
【発明の詳細な説明】
【０００１】
【発明の属する技術分野】
本発明は、自立性カートンに関するものである。
【０００２】
【従来の技術】
従来より、偏平状のカートンは自立性に乏しく、店頭などでのディスプレイ効果に欠けている。この偏平状のカートンを自立するために、別の部材を衝立て具として利用したり、種々の複雑な形態のカートンが工夫されている。また、二つ折りにし自立させる形態のカートンも幾つか提案されてる。
【０００３】
【発明が解決しようとする課題】
しかしながら、従来のカートンでは、別の部材を使用するという煩雑さがあること、また、カートンの形態が複雑であるため製造工程が簡単でなかったり、さらに、カートンの強度を弱めるたりするなどの問題がある。また、二つ折りのカートンは、二つ折りにする場合に、内容物を損なう危険性があるという問題がある。
【０００４】
また、カートンに自立性を持たせることは、ディスプレイ効果を持たせるという以外に、電子レンジ用のパウチを収納するカートンにおいても必要である。調理済みのカレー、スープ類等のレトルト食品と言われる流動性食品等は、通常アルミ製レトルトパウチに充填、密封及び加熱殺菌され偏平状のカートンに収納されて販売されているが、このパウチを電子レンジで加熱する場合は、加温による内容物の膨張によるパウチの破裂を避けるなどのために、カートンからパウチを取り出して中身を別の容器に移し替えてから電子レンジで加熱している。この別の容易に移し替えることは、耐熱性のあるパウチを有効に使用していない上、使用者の取り扱いが煩雑であるという問題がある。また、パウチの一部に通気孔を開ける方法もあるが、パウチ自体を電子レンジの中で自立させることは難しく、洩れ出したり、倒れたりする危険があるという問題があり、この点からもパウチを収納した状態のまま電子レンジで加熱を行うことができるようにカートンに自立性を持たせることが必要となっている。
【０００５】
これらの課題に鑑み、本発明は、一般の製造工程で製造することができ、内容物を損なうことなく簡単に開封し組み立てて自立性を持たせることができる自立性カートンを提供することを目的とするものである。
【０００６】
【課題を解決するための手段】
本発明は前記目的を達成するためになされたもので、少なくとも側パネル、前パネル、側パネル、後パネルからなるブランクを折り曲げて形成してなる偏平状のカートンであって、前記側パネル、前記前パネル、前記側パネル、前記後パネルの略中央部を貫通する線上に、前記前パネルには該前パネルを前パネル上部分と前パネル下部分とに分ける切り取り部を、前記後パネルには、該後パネルを後パネル上部分と後パネル下部分とを折り曲げる折れ線を、前記側パネルには切れ線を設け、前記前パネル上部分と両側の前記側パネルとの間には切れ線を設け、前記前パネル上部分の前記前パネル下部分側の辺に差し込み片を設け、前記後パネルの下辺に前記差し込み片を差し込む差し込み口を設け、組み立て時に、前記切り取り部、前記切れ線を切り取ることにより前記カートンを前記折れ線で折り曲げて前記前パネル上部分と前記前パネル下部分とに分割し、前記後パネルを前記折れ線で外側に折り曲げ、前記前パネルの前記前パネル上部分および天パネルを折れ線で外側に折り曲げ、前記前パネル上部分に設けた前記差し込み片を前記後パネルの下辺に設けた前記差し込み口に差し込むことにより衝立て機能を有する形状に形成されることを特徴とする自立性カートンである。
【０００７】
本発明によれば、一般の製造工程で製造することができ、内容物を損なうことなく簡単に開封し組み立てて自立性を持たせることができる自立性カートンを得ることができる。
【０００８】
【発明の実施の形態】
以下に、本発明の自立性カートンの実施の形態について図面を用いて詳しく説明する。なお、幾つかの図面に渡って同一または同様な部分には同一の符号を付けている。ただし、本発明はこれらの実施例に限定されるものではない。
【０００９】
＜実施例１＞
図１は本発明の自立性カートンの実施の形態を示す一実施例において、実際に開封し、組み立てて自立している状態を示す斜視図であり、図２はその側面図である。自立性カートン１は、開封、組み立て前では自立し難い偏平状のカートンであり、前パネル１２の略中央に横状に設けた切り取り部Ａにより開封して前パネル１２の前パネル下部分１２Ｄと前パネル上部分１２Ｕとに分け、そして、前パネル１２Ｕを両側パネル１１、１３から切り取ることにより、自立性カートン１を自立性カートン上部分1Ｕと自立性カートン下部分1Ｄとに分割される。さらに、前パネル上部分１２Ｕを外側に折り曲げ、この前パネル上部分１２Ｕに設けた差し込み片Ｃを後パネル１４の下辺に設けた差し込み口Ｆに差し込み固定し、自立性カートン上部分1Ｕを衝立て形状に組み立てている。このことによって、内容物３は分割して二つ折りにした下の部分に収納されて傾斜した状態で保持されている。
【００１０】
図３は本発明による自立性カートン１のブランク展開図である。カートンブランク１０は、側パネル１１、前パネル１２、側パネル１３、後パネル１４、糊代片１５を折れ線ａ、ｂ、ｃ、ｄを介して順次連設している。また、側パネル１１の上下に折れ線ｅ、ｆを介して折り込み片１６、１７を連設し、前パネル１２の上辺に折れ線ｇを介して天パネル１８を連設し、下辺に折れ線ｈを介して底パネル１９を連設し、側パネル１３の上下に折れ線ｉ、ｊを介して折り込み片２０、２１を連設し、後パネル１４の上辺に折れ線ｋを介して天下パネル２２を連設し、下辺に折れ線ｌを介して底下パネル２３を連設している。
【００１１】
また、側パネル１１、前パネル１２、側パネル１３、後パネル１４、糊代片１５を貫通する略中央線上に、前パネル１２には前パネル１２を左右方向に引き裂き線に沿って引き裂く切り取り部Ａが、後パネル１４には後パネル１４全体を二つ折りできるように折れ線Ｂが、側パネル１１、１３、糊代片１５にはミシン目などによる切れ線Ｄがそれぞれ設けられている。この切り取り部Ａは、図のようなジッパー以外にも、ミシン目、リード罫、半切れなどの切れ線であってもよい。
【００１２】
この切り取り部Ａにより、前パネル１２を前パネル上部分１２Ｕと前パネル下部分１２Ｄとに分けることができるが、切り取り部Ａの中央部分には前パネル上部分１２Ｕに折れ線ｍを介して連設する差し込み片Ｃを切れ線ｎで設けている。すなわち、差し込み片Ｃは切り取り部Ａの部分に入り込む形となっている。この差し込み片Ｃは、図３では切り取り部Ａの幅より狭く設けているが、同幅に設けてもよい。その場合には、切り取り部Ａは二つに分断され、それぞれの部分を引き裂くことになる。
【００１３】
また、前パネル１２の前パネル上部分１２Ｕと側パネル１１、１３との折れ線ａ、ｂは引き裂き可能なＬ字形切れ刃、ミシン目、リード罫などとした切れ線Ｅとしている。
【００１４】
さらに、後パネル１４の下辺である折れ線ｌの中央部分には、前パネル１２の上部分１２Ｕに設けた差し込み片Ｃを差し込む差し込み口Ｆを設けている。
【００１５】
このカートンブランク１０を組み立てて内容物を収納するには、まず、カートンブランク１０の後パネル１４を折れ線ｃで内側に折り曲げる。側パネル１１を折れ線ａで内側に折り曲げ、糊代片１５と側パネル１１を接着し、図４に示すような折り畳まれた状態の自立性カートン１を作成する。この加工工程は従来の製函機において行うことができる。
【００１６】
つぎに、充填包装機においてこの折り畳まれた自立性カートン１を筒状に起こして天パネル１８側あるいは底パネル１９側のいずれか一方の側のパネルを糊貼りし、内容物３を収納して、反対側のパネルを同様に糊貼りして図１に示すような自立性カートン１を作成し包装を完了する。
【００１７】
あるいは、ブランク１０を直接カートンフォーマーに供給して、まず、前パネル１２上に内容物を載置し、各パネルで包むように折り曲げて、糊代片１５と側パネル１１、天下パネル２２と天パネル１８、底下パネル２３と底パネル１９とをそれぞれホットメルト接着剤などにより貼り合わせる方法で包装を行ってもよい。
【００１８】
実際に、内容物が収納された自立性カートン１を開封し、組み立てて自立した状態にするには、まず、図５−ａに示すように、前パネル１２に設けた切り取り部Ａであるジッパーを切り取り開封し、前パネル１２を前パネル上部分１２Ｕと前パネル下部分１２Ｄとに分ける。つぎに、図５−ｂに示すように、前パネル１２の前パネル上部分１２Ｕに設けた差し込みＣを摘んで、前パネル１２の前パネル上部分１２Ｕを切れ線Ｅで側パネル１１、１３から切り取る。つづいて、図５−ｃに示すように、側パネル１１、１３の切り取り部Ａの延長線である切れ線Ｄを引き裂くことにより、自立性カートン１は自立性カートン上部分1Ｕと自立性カートン下部分1Ｄとの上下の二つの部分に分割される。さらに、図５−ｄに示すように、後パネル１４を折れ線Ｂで外側に折り曲げ、前パネル１２の前パネル上部分１２Ｕおよび天パネル１８を折れ線ｋで外側に折り曲げ、前パネル上部分１２Ｕに設けた差し込み片Ｃを後パネル１４の下辺に設けた差し込み口Ｆに差し込むことにより、折り曲げられた後パネル１４の後パネル上部分１４Ｕと後パネル下部分１４Ｄと前パネル１２の前パネル上部分１２Ｕとで三角形が形成され、衝立て具としての機能を持つ形状となる。図５−ｅに示すように、前パネル上部分１２Ｕを平面上に置くことにより分割された自立性カートン１の自立性カートン下部分1Ｄに内容物３を収納し傾斜した状態で安定して保持される。
【００１９】
＜実施例２＞
図６は、本発明の自立性カートンの別の実施例を示す斜視図であり、図７は、そのブランクを示す展開図である。本実施例は、電子レンジ用のパウチを収納する自立性カートンであり、図６に示すように、パウチ３Ｐを収納する偏平状で縦長のカートンであり、内部に収納されているパウチ３Ｐを電子レンジで加熱する場合には、前パネル１２の略中央に横状に差し込み片Ｃを挟んで設けた切り取り部Ａ、Ａ′を切り取り開封し、前パネル１２を前パネル上部分１２Ｕと前パネル下部分１２Ｄとに分ける。つぎに、前パネル上部分１２Ｕに設けた差し込みＣを摘んで、前パネル上部分１２Ｕを切れ線Ｅで側パネル１１、１３から切り取る。つづいて、側パネル１１、１３の切り取り部Ａ、Ａ′であるジッパーの延長線である切れ線Ｄを引き裂くことにより、自立性カートン１ａは自立性カートン上部分1Ｕと自立性カートン下部分1Ｄとの上下の二つの部分に分割される。さらに、後パネル１４を折れ線Ｂで外側に折り曲げ、前パネル１２の前パネル上部分１２Ｕおよび天パネル１８を折れ線ｋで外側に折り曲げ、前パネル上部分１２Ｕに設けた差し込み片Ｃを後パネル１４の下辺に設けた差し込み口Ｆに差し込むことにより、折り曲げられた後パネル１４の後パネル上部分１４Ｕと後パネル下部分１４Ｄと前パネル１２の前パネル上部分１２Ｕとで三角形が形成され、衝立て具としての機能を持つ形状となる。このことによって、パウチ３Ｐは分割して二つ折りにした自立性カートン下部分1Ｄに収納されて傾斜した状態で保持されている。
【００２０】
パウチ３Ｐには、調理済みのカレー、スープ類などのレトルト食品が充填され、その上端の一側に開封用のノッチＧが設けられている。加熱された後はパウチ３Ｐを自立性カートン１ａに収納したまま持ってこれを取出して開封用のノッチＧで開封された開口部から内容物を皿等に移し換えることができる。
【００２１】
【発明の効果】
本発明によれば、簡単に開封し組み立てて自立性をもたせることができ、カートンの強度を弱めることのない自立性カートンを得ることができる。
【００２２】
すなわち、自立性があり、そして開口部から内容物を見せることにより、ディスプレイ効果を持たせることができる。
【００２３】
また、電子レンジ用パウチを収納したカートンにおいて、電子レンジの中でパウチをカートンに収納したままで、簡単に組み立てることができ、自立した状態で加熱することができる。しかも、使用前においては、運搬、保管などにおいては、一般のカートンと同様に扱うことができる。
【００２４】
さらに、上の部分が露出したパウチの開封用のノッチの開口が簡易にでき、加熱調理後の扱いが容易にできる。
【図面の簡単な説明】
【図１】本発明の自立性カートンの一実施例が実際に自立している状態を示す斜視図である。
【図２】図１の自立性カートンの側面図である。
【図３】図１の自立性カートンのブランクの展開図である。
【図４】図１の自立性カートンの折り畳まれた状態を示す平面図であある。
【図５】図１の自立性カートンを実際に組み立てる過程を示す図である。
【図６】本発明の自立性カートンの別の実施例が実際に自立している状態を示す斜視図である。
【図７】図６の自立性カートンのブランクの展開図である。
【符号の説明】
１    自立性カートン
１ａ  自立性カートン
１Ｕ  自立性カートン（上部分）
１Ｄ  自立性カートン（下部分）
２    自立性カートン本体
３    内容物
３Ｐ  パウチ（内容物）
１０    カートンブランク
１０ａ  カートンブランク
１１    側パネル
１２    前パネル
１２Ｕ  前パネル（上部分）
１２Ｄ  前パネル（下部分）
１３    側パネル
１４    後パネル
１４Ｕ  後パネル（上部分）
１４Ｄ  後パネル（下部分）
１５    糊代片
１６    折り込み片
１７    折り込み片
１８    天パネル
１９    底パネル
２０    折り込み片
２１    折り込み片
２２    天下パネル
２３    底下パネル
ａ〜ｍ    折れ線
Ａ    切り取り部
Ａ′  切り取り部
Ｂ    折れ線
Ｃ    差し込み片
Ｄ    切れ線
Ｅ    切れ線
Ｆ    差し込み口
Ｇ    ノッチ
【図１】
0004390945.tif 000002
【図２】
0004390945.tif 000003
【図３】
0004390945.tif 000004
【図４】
0004390945.tif 000005
【図５】
0004390945.tif 000006
【図６】
0004390945.tif 000007
【図７】
0004390945.tif 000008